(57)【要約】【目的】  耐震性に優れた新しい壁面取付構造を提供する。【構成】  壁（１）に設けられた取付レール（２）と、取付レール（２）に着脱自在に取り付けられる支持部材（３）とを備え、この支持部材（３）を介して被取付物（４）を壁面に取付け支持する壁面取付構造において、取付レール（２）を、支持部（２５）付き取付溝（２１）を有する上部取付レール（２ａ）およびフランジ部（２６）付き取付溝（２１）を有する下部取付レール（２ｂ）とからなるものとする。【選択図】図１
2005042477.tif 000002
【特許請求の範囲】
【請求項１】
壁に設けられた取付レールと、取付レールに着脱自在に取り付けられる支持部材とを備え、この支持部材を介して被取付物を壁面に取付け支持する壁面取付構造であって、
取付レールは、支持部付き取付溝を有する上部取付レールおよびフランジ部付き取付溝を有する下部取付レールとからなり、支持部材は、上部取付レールの支持部に係合する上部係合片および下部取付レールのフランジ部に係合する下部係合片とを有していることを特徴とする壁面取付構造。
【請求項２】
上部取付レールに下部取付レールのフランジ部と同形状のフランジ部が設けられ、下部取付レールに上部取付レールの支持部と同形状の支持部が設けられて、上部取付レールと下部取付レールとが同形状のものとなっていることを特徴とする請求項１記載の壁面取付構造。
【発明の詳細な説明】
【技術分野】
【０００１】
この出願の発明は、壁面取付構造に関するものである。さらに詳しくは、この出願の発明は、子棚等の家具の壁面への取付けに有用な、耐震性に優れた新しい壁面取付構造に関するものである。
【背景技術】
【０００２】
従来、室内の壁面に子棚や小物入れ等の家具を取り付ける場合、木ネジや接着剤がしばしば用いられていた。
【０００３】
しかしながら、木ネジによる家具の取付けには工具が必要であり、位置を変更する際も同様の作業が必要になると同時に、家具を外した後の壁面にネジ跡が残り室内の美観を損なうという問題もあった。また、接着剤による家具の取付けは、取付け後に接着剤が完全に硬化乾燥するまで家具が使用できず、位置を変更する際には家具と壁面間に工具を挿入して剥がし取る作業が必要になると同時に、家具を外した後の壁面に汚れが残り室内の美観を損なうという問題もあった。
【０００４】
そこで、壁自体に係止溝付きレールを設け、これに係止部材を介して載置棚や収納箱等の被取付物を係止保持するようにしたものが既に提案されている（特許文献１参照）。
【特許文献１】特開２００２−３６４１０３号公報
【発明の開示】
【発明が解決しようとする課題】
【０００５】
しかしながら、上記特許文献１に記載されている構造では、人や物が軽く当たっただけで家具が簡単に落下したり、落下しないまでも家具が持ち上がったり横方向に位置ずれしたりすることがあった。また、地震のような大きな揺れが生じると係止溝付きレールから外れてしまうことがあった。
【０００６】
そこで、以上のとおりの事情に鑑み、この出願の発明は、地震等が生じても優れた耐震性を実現できる新しい壁面取付構造を提供することを課題としている。
【課題を解決するための手段】
【０００７】
この出願の発明は、上記の課題を解決するものとして、第１には、壁に設けられた取付レールと、取付レールに着脱自在に取り付けられる支持部材とを備え、この支持部材を介して被取付物を壁面に取付け支持する壁面取付構造であって、取付レールは、支持部付き取付溝を有する上部取付レールおよびフランジ部付き取付溝を有する下部取付レールとからなり、支持部材は、上部取付レールの支持部に係合する上部係合片および下部取付レールのフランジ部に係合する下部係合片とを有していることを特徴とする壁面取付構造を提供する。
【０００８】
第２には、前記上部取付レールに前記下部取付レールの前記フランジ部と同形状のフランジ部が設けられ、前記下部取付レールに前記上部取付レールの前記支持部と同形状の支持部が設けられて、前記上部取付レールと前記下部取付レールとが同形状のものとなっていることを特徴とする請求項１記載の壁面取付構造を提供する。
【発明の効果】
【０００９】
上記第１の壁面取付構造によれば、人や物が触れたり地震等の揺れが生じたりしても支持部材および被取付物の落下や位置ずれを防いで、優れた耐震性を実現することができる。
【００１０】
上記第２の壁面取付構造によれば、上記第１の構造と同様な効果が得られ、且つ部材数を減らして安価な構造とすることができる。
【発明を実施するための最良の形態】
【００１１】
図１は、この出願の発明の一実施形態を示したものである。
【００１２】
たとえばこの図１に例示したように、この出願の発明は、壁（１）に設けられた取付レール（２）と、取付レール（２）に着脱自在に取り付けられる支持部材（３）とを備え、この支持部材（３）を介して被取付物（４）を壁面に取付け支持する壁面取付構造において、取付レール（２）を、支持部（２５）付き取付溝（２１）を有する上部取付レール（２ａ）およびフランジ部（２６）付き取付溝（２１）を有する下部取付レール（２ｂ）とからなるものとし、支持部材（３）を、上部取付レール（２ａ）の支持部（２５）に係合する上部係合片（３２）および下部取付レール（２ｂ）のフランジ部（２６）に係合する下部係合片（３３）とを有するものとすることで、取付け後の支持部材（３）および被取付物（４）の落下や位置ずれを効果的に防ぐことのできる構造を実現している。
【００１３】
この場合さらに説明すると、図１の実施形態では、まず、壁（１）は、壁下地材（１１）とその表面に取り付けられる壁板や壁パネル等の壁仕上材（１２）から構成されている。
【００１４】
取付レール（２）は、この壁（１）に対して上方位置に設置される上部取付レール（２ａ）および下方位置に設置される下部取付レール（２ｂ）とからなり、それぞれ、壁仕上材（１２）間にて水平方向に延びた断面略コ字形状の取付溝（２１）を有するものであり、その上面から立設した嵌挿突部（２２）および下面から垂下した嵌挿突部（２３）が壁仕上材（１２）の下端部に設けられた嵌挿孔（１２１）および上端部に設けられた嵌挿孔（１２２）にそれぞれ嵌挿されて、壁仕上材（１２）間に挟持され、且つ後面から上方へ延設した固定立片（２４）が壁下地材（１１）と壁仕上材（１２）との間の隙間に挟み込まれるとともに固定ネジ（５）によって壁下地材（１１）にネジ固定されて、壁（１）に取り付けられる。
【００１５】
上部取付レール（２ａ）は、さらに、取付溝（２１）において支持部（２５）を有している。より具体的には、支持部（２５）は、取付溝（２１）の内部奥壁面から前方に向かって延び、その先端が丸く膨張した形状のものとなっている。この先端膨張部（２５１）は断面円弧状であるとも言える。
【００１６】
下部取付レール（２ｂ）は、さらに、取付溝（２１）においてフランジ部（２６）を有している。より具体的には、フランジ部（２６）は、取付溝（２１）の開口上端から垂下した、つまり後述する支持部材（３）の下部係合片（３３）との係合が可能になる程度下方に延びた板片状のものとなっている。
【００１７】
一方、支持部材（３）は、上部取付レール（２ａ）から下部取付レール（２ｂ）に渡る高さ寸法の平板状の本体（３１）と、本体（３１）の後面上部から後方に突出して設けられた上部係合片（３２）と、本体（３１）の後面下部から後方に突出して設けられた下部係合片（３３）とを有している。またさらに本体（３１）の前面上部から前方に突出して設けられた被取付物保持片（３４）をも有している。
【００１８】
上部係合片（３２）は、より具体的には、後方に突出するとともに上方に湾曲したもの、つまり上部取付レール（２ａ）の先端膨張部（２５１）の断面円弧形状と略同一断面円弧形状の凹みを有したものとなっている。
【００１９】
下部係合片（３３）は、より具体的には、後方に突出するとともに先端が上方に屈曲して引っ掛かりを形成したものとなっている。
【００２０】
そしてこの支持部材（３）は、上部係合片（３２）を上部取付レール（２ａ）の取付溝（２１）における支持部（２５）の先端膨張部（２５１）に係合させるとともに下部係合片（３３）を下部取付レール（２ｂ）の取付溝（２１）におけるフランジ部（２６）に係合させることで、取付レール（２）に対して着脱自在に、且つ上下位置での係合によって優れた耐震性を確保して取り付けられており、そしてこの支持部材（３）にて被取付物保持片（３４）を介して被取付物（４）を確実に保持するようになっている。すなわち、支持部材（３）を介して上下二本の取付レール（２）にまたがって子棚や小物入れ等の家具を代表とする被取付物（４）を着脱自在に且つ耐震性良く取り付けることができ、大きな家具の場合でも落下や位置ずれが生じ難くなる。
【００２１】
なお、図１の実施形態では、上部取付レール（２ａ）にも下部取付レール（２ｂ）のフランジ部（２６）と同形状のフランジ部（２６）が設けられており、あとは下部取付レール（２ｂ）にも上部取付レール（２ａ）の支持部（２５）と同形状の支持部（２５）、つまり先端膨張部（２５１）付きの支持部（２５）を設ければ、上部取付レール（２ａ）および下部取付レール（２ｂ）を全く同形状のものとすることができる。これによれば、それぞれを別部材とする必要が無くなり、同一種部材で対応できるので、部材数を減らして安価な構造を実現することができる。
【００２２】
もちろん、この出願の発明は以上の実施形態に限定されるものではなく、細部については様々な態様が可能である。
【産業上の利用可能性】
【００２３】
以上詳しく説明した通り、この出願の発明によって、耐震性に優れた新しい壁面取付構造が提供される。
【図面の簡単な説明】
【００２４】
【図１】この出願の発明の一実施形態を示した断面図である。
【符号の説明】
【００２５】
１  壁
１１  壁下地材
１２  壁仕上材
１２１，１２２  嵌挿孔
２  取付レール
２ａ  上部取付レール
２ｂ  下部取付レール
２１  取付溝
２２，２３  嵌挿突部
２４  固定立片
２５  支持部
２５１  先端膨張部
２６  フランジ部
３  支持部材
３１  本体
３２  上部係合片
３３  下部係合片
３４  被取付物保持片
４  被取付物
５  固定ネジ
【図１】
2005042477.tif 000003